(57)【要約】【課題】長期に亘って良好な外観を維持しつつ、使用時における釣人への負荷を抑制できる引き舟を提供することを目的とする。【解決手段】本発明の引き舟１は、魚を収容する本体部２を備えている。本体部２は、透明樹脂で成形されており、その内面側に塗料３０ａを塗布して第１の装飾層３０Ａが形成されるとともに、更にその内面側にＪＩＳ規格に基づく明度基準０〜２の第２の装飾層３０Ｂが形成されることを特徴とする【選択図】図２
2011110015.tif 000002
【特許請求の範囲】
【請求項１】
魚を収容する本体部を備えた引き舟であって、
前記本体部を透明樹脂で成形し、その内面側に第１の装飾層を形成するとともに、更にその内面側にＪＩＳ規格に基づく明度基準０〜２の第２の装飾層を形成したことを特徴とする引き舟。
【請求項２】
前記第１の装飾層は、有色塗料を本体部内面に塗布した塗膜層であることを特徴とする請求項１に記載の引き舟。
【請求項３】
前記第１の装飾層は、本体部内面に貼付した装飾シールであることを特徴とする請求項１に記載の引き舟。
【請求項４】
前記第１の装飾層は、前記本体部の成形時に、インサート成形される装飾部材であることを特徴とする請求項１に記載の引き舟。
【発明の詳細な説明】
【技術分野】
【０００１】
本発明は、主に鮎釣りに際して使用される引き舟に関する。
【背景技術】
【０００２】
一般的に、鮎釣りをする場合、釣人は、オトリ鮎や釣れた鮎を収容するための魚入れ容器、具体的には、例えば特許文献１に開示されているような「引き舟」と称されるものを携行する。引き舟は、専ら釣人が実釣時において川に入った状態で使用されるものであり、オトリ鮎や釣れた鮎を入れる舟形状を有する本体部（引き舟本体）にロープの一端を連結し、他端を釣人に固定することで川に浮かせた状態で使用する。また、前記本体部には、川の水が通過できるように、適所に通水部が形成されており、内部に収容された鮎は、常時、新鮮な水が通過するため弱るようなことはない。
【０００３】
通常、上記のような引き舟の本体部は、合成樹脂等によって一体成形されており、その外観性を高めるために、表面に色彩（塗装）を施したり、装飾性のあるデザインを施したシールを貼付すること等、が行われている。
【先行技術文献】
【特許文献】
【０００４】
【特許文献１】特開２００５−２９５９３６号
【発明の概要】
【発明が解決しようとする課題】
【０００５】
上記したように、引き舟は、川の中で引きながら使用されるため、本体部に川底などの石（他物）が当たり易く、表面の塗装が剥げたり、傷が付いて見栄えが悪くなるという問題がある。また、外側に装飾性を高めるためのシール等を貼付すると、上記したように他物と接触して剥がれ易いという問題があると共に、表面に凸部が生じてしまい、流水抵抗が増大して釣人に負荷を与えてしまう場合がある。更に、従来の引き舟は、一般に、本体部が黒色系の合成樹脂によって成形されているため、優れた装飾的外観とは言い難いものであった。
【０００６】
また、鮎などの魚は、明るさを嫌う（暗い部分を好む）という性質があり、引き舟に収容された際に、内部が明るいと、鮎はストレス・刺激を受けて、暴れたり弱ってしまうという問題もある。（鮎が弱ると、おとり鮎として使用する上で好ましくない）。
【０００７】
本発明は、上記した事情に着目してなされたものであり、長期に亘って良好な外観を維持しつつ、使用時における釣人への負荷を抑えることができるとともに、優れた装飾的外観も有する引き舟を提供することを目的とする。また、魚を引き舟の中に収容した際に、魚にストレスを与えることなく、かつ魚を弱らせることのない引き舟の提供も目的とする。
【課題を解決するための手段】
【０００８】
上記した目的を達成するために、本発明に係る引き舟は、魚を収容する本体部を透明樹脂で成形し、その内面側に第１の装飾層を形成するとともに、更にその内面側にＪＩＳ規格に基づく明度基準０〜２の第２の装飾層を形成したことを特徴とする。
【０００９】
上記した構成では、透明な本体部の内面側に装飾層（第１および第２の装飾層）が形成されており、装飾部分は、透明部分を介して視認される。このため、透明な部分に川底にある石等が当たっても、装飾部分が剥がれたり、傷が付くことがなく、長期に亘って良好な外観が維持される。また、他物と当たって傷等が付いても、透明な部分であるため、そのような傷等は視認し難く、外観が低下することもない。さらに、本体部の外側表面に、装飾部となる凸部がないことから、流水抵抗の増大が抑制され、したがって、流水抵抗に伴う釣人への負荷を抑えることができる。また、第１の装飾層の内面側にＪＩＳ規格に基づく明度基準０〜２の第２の装飾層が形成されているため、外部からの入射光が部分的に吸収されて、第１の装飾層がより深みのある色彩となり、全体として優れた装飾的外観を得ることができる。
【００１０】
また、鮎などの魚の習性として明度の低い場所を好むことから、このように明度基準が低い第２の装飾層を最も内側に形成すると、本体部内に収容される魚が明るさによって刺激を受けず、そのため、暴れたり弱ったりすることが防止される。更に、明度の低い第２の装飾層に囲まれた魚は、直接に光を受けることもないため、弱ることもない。
【００１１】
なお、上記した構成において、内面側とは、本体部（または第１の装飾層）の内面や内部（外表面に露出することのない本体内部または第１の装飾層内部）が該当する。
【００１２】
また、上記構成において、第１の装飾層は、本体部内面に有色塗料を塗布した塗膜層であっても良い。このように、塗装により第１の装飾層を形成すると、色彩や光輝性などを適宜選択することにより、外観の優れた装飾層を得ることができる。
【００１３】
また、上記構成において、第１の装飾層は、本体部内面に貼付した装飾シールであっても良い。特に、複雑な形状・デザインも印刷したシールを貼り付けることにより、装飾性を更に向上させることができる。また、前述したと同様、装飾シールは、該シールの背後および周囲にある第２の装飾層の低い明度の作用により、更に目立った深みのある色彩となる。
【００１４】
また、上記構成において、第１の装飾層は、本体部を成形する際に、インサート成形される装飾部材（例えば、インサート用のプレート状の部材）であっても良い。このような構成においても、透明部分を介して第１の装飾層を視認することが可能であるとともに、インサート成形により第１の装飾層が本体部と一体化するため、装飾層の劣化や剥がれが防止され、優れた外観を長期にわたって維持できる。また、この場合も、装飾部材は、該装飾部材の背後および周囲にある第２の装飾層の低い明度の作用により、更に目立った深みのある色彩となる。
【発明の効果】
【００１５】
本発明によれば、長期に亘って良好な外観を維持しつつ、使用時に釣人に対して負荷を与えることがない、優れた装飾的外観を有する引き舟が得られる。また、本体部内に収容された魚にストレスを与えることなく、かつ弱らせることのない引き舟も得られる。
【図面の簡単な説明】
【００１６】
【図１】本発明の一実施形態に係る引き舟の斜視図。
【図２】（ａ）は引き舟の本体部を示しており、装飾層の形成例を説明する概略斜視図、（ｂ）は（ａ）のＡ−Ａ線に沿う断面図。
【図３】（ａ）は第１の装飾層の別の形成例を説明する引き舟の本体部の概略斜視図、（ｂ）は（ａ）のＢ−Ｂ線に沿う断面図。
【図４】（ａ）は第１の装飾層の更に別の形成例を説明する引き舟の本体部の概略斜視図、（ｂ）は（ａ）のＣ−Ｃ線に沿う断面図。
【発明を実施するための形態】
【００１７】
以下、本発明に係る引き舟の実施形態について、添付図面を参照して説明する。
図１及び図２は、本発明の第１の実施形態に係る引き舟１を示している。本実施形態の引き舟１は、鮎釣りに際して携行される構成となっており、釣り上げた魚（以下、鮎とする）を生きたままで泳がせながら収容したり、予め購入したオトリ鮎を収容しておくもので、引き舟本体（本体部）２を備えている。
【００１８】
前記本体部２は、透明な材料、例えば、後述する装飾層（塗膜層）３０との密着性が良いＡＢＳ樹脂によって、所定の大きさを有する舟形の形状に成形（インジェクション成形）されている。なお、本体部２は、底面部２ａと、前面部２ｂと、側面部２ｃと、後面部２ｄとを備え、魚を収容するための収容部Ｓを内部に形成している。また、本体部２には、その開口を閉塞する上面部３が装着される。
【００１９】
前記本体部２に装着される上面部３には、浮き体（図示せず）が取り付けられており、本体部２を水中で安定的に浮かせるようになっている。また、本体部２の前側（船首側）の側面部２ｃには、複数個の通水孔７が穿設されており、これらの通水孔７を通じて流水が容器内部に入るとともに容器内部の水が流出し、絶えず本体部２内部（収容部Ｓ）の水を循環できるようになっている。
【００２０】
前記本体部２の前面部２ｂには、牽引ロープ２０が取り付けられており、この牽引ロープ２０の一端側には、吊り下げ用のハンドル２１が設けられると共に、他端側には、釣人のベルト等へ止着する止着具（図示せず）が設けられている。
【００２１】
これにより、釣人は、釣りをしている間、牽引ロープ２０を引っ張って引き舟１を流水中に漂わせながら携行することが可能となる。この場合、前記通水孔７を通じて流水が容器内部に入ると共に、容器内部の水が流出し、絶えず収容部Ｓ内の水を循環させて内部に収容された鮎が弱らないように保持しておくことが可能となる。なお、通水孔７を形成する位置や個数については、特に限定されることはない。
【００２２】
前記上面部３の前側（船首側）には、収容部内へ鮎を投入することが可能な投入口８が設けられている。前記投入口８は、上面部３の前方側に形成された開口３ａを閉塞する蓋体３Ａに設けられており、この蓋体３Ａに形成される開口３ｂを閉塞する閉塞板１０を備えた構成となっている。
【００２３】
前記蓋体３Ａは、専ら、本体部２を大きく傾けることで、内部に収容されている鮎を一度に取り出すことを可能にするものであり、上面部３に設けられたヒンジ１４によって開閉可能に蝶着されている。そして、蓋体３Ａは、その前端に設けられた操作体１５の係止部を、本体部２の前面部２ｂの内面に設けられた係止溝に係脱可能に係止させることにより、本体部２に取着され、開口３ａを閉塞するようになっている。
【００２４】
また、前記閉塞板１０は、同じ形状で一対設けられており、公知のように、釣人が鮎を掴んだ状態で閉塞板１０に押し当てると、閉塞板１０は、図示されていないバネの付勢力に抗して回動し、その鮎を収容部Ｓ内に投入することが可能となり、かつ釣人が掴んだ鮎を離して投入口８から手を引抜くと、閉塞板１０は、バネの付勢力によって閉塞状態に復帰する構成となっている。
【００２５】
なお、前記閉塞板１０には、長手方向に延びる開口１０ａを形成しておくことが好ましい。このような開口１０ａを形成しておくことにより、実釣時に引き舟１が転覆しても、閉塞板部分で流水を通過させることができるため、流水の圧力によって不用意に閉塞板が開放して、内部に収容されている鮎が逃げることを防止することが可能となる。
【００２６】
上述したように、透明樹脂によって一体成形された本体部２の内面側には、装飾層３０が形成される。この装飾層３０は、外部から透明な本体部２を介して視認できるように形成されるものであり、本体部２の表面（露出表面）に設けない構成となっている。
【００２７】
透明な本体部２の内面に形成されるこのような装飾層３０は、透明部分を介して視認することが可能であるが、透明な部分に川底にある石等が当たっても、装飾層３０が剥がれたり、傷が付くことがなく、長期に亘って良好な外観が維持される。また、他物と当たって傷等が付いても、透明な部分となっているため、そのような傷等は視認し難く、外観を損なうことはない。さらに、本体部２の外側表面は面一状となっている（装飾を施すことによる凸部がない）ため、流水抵抗の増大を抑えることができ、したがって、流水抵抗に伴う釣人への負荷を抑えることができる。
【００２８】
具体的に、本実施形態の装飾層３０は、図２に示されるように、本体部２の内面全体に亘って塗装を施すことにより形成され、本体部２の内面側に形成される第１の装飾層３０Ａと、第１の装飾層３０Ａの内面側に形成されるＪＩＳ規格に基づく明度基準０〜２の第２の装飾層３０Ｂとから成る。周知の通り、ＪＩＳ規格では、明度基準が０（黒）〜１０（白）の段階で規定されており、明度が高いとは、色が明るいことを表わしており、明度が低い部分よりも相対的に反射率が高い領域とされる。逆に、明度が低いとは、色が暗いことを表わしており、明度が高い部分よりも相対的に反射率が低い（吸収率が高い）領域とされる。本実施形態では、引き舟全体の外観を深みのあるものとするため、また、収容部Ｓ内の魚の暴れや弱りを防止するために、第２の装飾層３０Ｂの明度が０〜２と低く設定される。これは、鮎などの魚の習性として明度の低い場所を好むことから、このように明度基準が低い第２の装飾層３０Ｂを最も内側に形成すると、本体部２内に収容される魚が明るさによって刺激を受けず、そのため、暴れたり弱ったりすることが防止される。更に、明度の低い第２の装飾層に囲まれた魚は、直接に光を受けることもないため、弱ることもない。
【００２９】
また、本実施形態において、第１および第２の装飾層３０Ａ，３０Ｂはいずれも、例えば、図２に示すように、ガン吹き等によって塗料３０ａを吹き付けることで形成される。特に、第１の装飾層３０Ａを形成する塗料３０ａは、色彩のある有色の塗料（ＡＢＳ樹脂との密着性の良いアクリル塗料、ウレタン塗料、アクリルウレタン塗料など）であることが好ましく、また、光輝性粒子（粒径が２μｍ以下、好ましくは０．３μｍ〜１μｍの金、銀、銅、アルミニウなど）を含む塗料を用いることにより、外観の優れた装飾層（光輝性のある装飾部分）を形成することが可能となり、このような外観を長期に亘って維持することが可能となる。一方、第２の装飾層３０Ｂのための塗料３０ａとしては、ＪＩＳ規格に基づく明度基準０〜２のもの、具体的には例えば非透明な黒色などの濃色塗料が挙げられる。このように、第１の装飾層３０Ａの内面側にＪＩＳ規格に基づく明度基準０〜２の第２の装飾層３０Ｂが形成されていると、すなわち、最も内側の装飾層の明度が低いと、本体部２内に収容される魚が明るさによって刺激を受けず、そのため、暴れたり弱ったりすることが防止される。また、このように明度基準が低い第２の装飾層３０Ｂを内側に形成すると、外部からの入射光が部分的に吸収されるため、第１の装飾層３０Ａがより深みのある色彩となり、全体として優れた装飾的外観を得ることができる。
【００３０】
図３は、第１の装飾層の別の形成例を説明する概略斜視図である。  
この実施形態では、本体部２の内面側に形成される第１の装飾層を、塗装以外で形成する態様を示しており、内面に対して装飾性のあるシール（装飾シール）３２を貼付することで第１の装飾層を形成するようにしている。このような装飾シール３２は、透明部分を介して視認することが可能であり、外部に露出して凹凸を形成することもなく、かつ、他物が当たって剥がれるようなこともない。また、装飾シール３２の内面側には、第１の実施形態と同様、ＪＩＳ規格に基づく明度基準０〜２の第２の装飾層３０Ｂが形成される。この場合、第２の装飾層３０Ｂは、装飾シール３２および本体部２の両方の内面を覆うように形成される。なお、装飾シール３２を貼付した後、ガン吹き等によって更なる塗料３０ａを塗布して模様層を施しても良い（すなわち、シール３２と第２の装飾層３０Ｂとの間に模様層を形成する）。或いは、必要に応じてシール３２の周囲にクリア塗料を施してシール端部を本体部２に密着させるために目止めしておいても良い。
【００３１】
上記したような装飾シール３２を本体部２の内面に貼付することで、上記した実施形態と同様な作用効果が得られると共に、複雑な形状・デザインを印刷したシールを用いることも可能となり、更には、光輝性シールやホログラムシール等を用いることで、より装飾性（外観）を向上することが可能となる。また、装飾シール３２は、該シール３２の背後および周囲にある第２の装飾層３０Ｂの低い明度の作用により、更に目立った深みのある色彩となる。なお、上記したような装飾シール３２は、本体部２の側面部２ｃ、前面部２ｂ、底面部２ａの適所に貼付しておくことが可能である。
【００３２】
図４は、第１の装飾層の更に別の形成例を説明する概略斜視図である。
本実施形態の第１の装飾層は、本体部２の成形時に、インサート成形される装飾部材３５によって構成されている。装飾部材３５は、例えば、プレート状に構成されており、本体部２を形成する金型内の所定位置に配置した後、本体部２と共に一体形成される。インサート用の装飾部材３５の表面には、複雑な模様や色彩を付与したり、フィルム印刷を施しておくことが可能であり、このような装飾部（装飾層）は、透明部分を介して視認することが可能である。なお、本実施形態においても、装飾部材３５の内面側には、ＪＩＳ規格に基づく明度基準０〜２の第２の装飾層３０Ｂが形成される。この場合も、第２の装飾層３０Ｂは、装飾部材３５および本体部２の両方の内面を覆うように形成される。
【００３３】
このような構成によれば、上記した実施形態と同様な作用効果が得られると共に、装飾部材３５をインサート成形したことで、装飾部材３５が本体部２と一体化（いわば、装飾部材３５の表層装飾部位３５ａが本体部２と装飾部材３５との間に挟まれた状態で一体化）され、装飾部が剥がれることや劣化することを防止することができ、優れた外観を長期に亘って維持することが可能となる。
【符号の説明】
【００３４】
１  引き舟
２  本体部
３０  装飾層
３０Ａ  第１の装飾層
３０Ｂ  第２の装飾層
３０ａ  塗料
３２  装飾シール（第１の装飾層）
３５  装飾部材（第１の装飾層）
【図１】
2011110015.tif 000003
【図２】
2011110015.tif 000004
【図３】
2011110015.tif 000005
【図４】
2011110015.tif 000006